(57)【要約】【課題】庫内商品の冷蔵，温蔵状態に合わせて商品見本の冷温状態の強調や特定の商品のアピールを極めて簡単な構成で容易に行うこと。【解決手段】庫内に温蔵，冷蔵された商品を販売するものであって、下面が開口した箱形に形成されるとともに複数の商品見本６を載置して展示するディスプレイ台有する自動販売機置において、前記ディスプレイ台５０の背面壁５２に採光窓５２ｂを設けるとともに該背面壁５２に装着される光透過性材料からなる着色表示板１００を設け、着色表示板を庫内商品の冷蔵，温蔵状態に合わせて青色もしくは赤色に着色することにより、ディスプレイ台５０内に設けた蛍光灯の光によって商品見本６の背景となるディスプレイ扉に青色もしくは赤色を発色させて商品見本の冷温状態を強調する。【選択図】　　　　図２
2004145599.tif 000002
【特許請求の範囲】
【請求項１】
前面が開口した本体キャビネットとこの本体キャビネットの前面開口に開閉可能に取付けられた外扉とを有し、前記本体キャビネットの庫内に商品を冷蔵，温蔵状態に区分して保存し、前記外扉の前面に取付けられた透明板と前記外扉の背面に開閉可能に取付けられたディスプレイ扉とにより画成されたディスプレイ室を有し、該ディスプレイ室内に設置され、下面が開放した箱形に形成されるとともに当該箱形内部に蛍光灯が配置されたディスプレイ台上に前記商品の商品見本を左右に並ベて展示した自動販売機において、
前記ディスプレイ台に前記蛍光灯から照射される光の通路を形成する採光窓を設け、光透過材料からなり、前記採光窓を覆うようにディスプレイ台に装着されるとともに商品を強調する色に着色された着色表示板を設け、前記蛍光灯の光により採光窓を通して着色表示板の色をディスプレイ扉に発色させることを特徴とする自動販売機。
【請求項２】
請求項１記載の自動販売機において、ディスプレイ台の前面壁に沿わせて商品の冷温状態を表わす冷温表示手段を有し、当該冷温表示手段に対応して着色表示板は冷温を表す色に着色されていることを特徴とする自動販売機。
【請求項３】
請求項１記載の自動販売機において、着色表示板は特定商品に対応した箇所が特定の色に着色されていることを特徴とする自動販売機。
【発明の詳細な説明】
【０００１】
【発明の属する技術分野】
この発明は、本体キャビネット内に缶，壜，ペットボトルなどの商品を冷蔵，温蔵状態に区分して保存し、外扉のディスプレイ室内に設置したディスプレイ台上に左右に並ベて商品見本を展示し、該商品見本に対応して商品の冷温状態を表示する自動販売機に関する。
【０００２】
【従来の技術】
図５は本発明の実施対象となる自動販売機の構成を示す。図において、１はその庫内に缶，壜，ペットボトルなどの商品を収納した商品ラックが収設され、該商品ラックに収容された商品を冷蔵，温蔵状態に区分して保存する本体キャビネットである。この本体キャビネット１の前面には偏平な箱形に形成された外扉２が開閉可能に取付けられている。この外扉２の上部域には、前面が透明板３で覆われるとともに背面が外扉２に開閉可能に取付けられたディスプレイ扉で構成されたディスプレイ室４が形成されている。このディスプレイ室４には、商品見本６を左右に並ベて載置するディスプレイ台５が上下方向に複数段、図示の場合には３段に並ベて設置されている。前記ディスプレイ台５は、下面が開放した横長の箱形に形成され、ディスプレイ台５の図では見えない背面壁がディスプレイ扉に固着して取付けられている。そして、前記ディスプレイ扉を外扉２と一体になるように閉じた際に、ディスプレイ室４内に展示された商品見本６が透明板３を介して透視されるようになる。７は透明板３に取付けられた商品選択ボタンであり、８はポスターなどを展示する広告部である。なお、前記外扉２の前面には、周知のように、硬貨投入口，紙幣投入口，金銭返却レバー，釣銭返却口，商品取出口，ロック付きハンドルなどが設けられている。
【０００３】
次に、前記ディスプレイ台５の構造を図６に示し、図６はディスプレイ台５の一部を拡大して示すものである。ディスプレイ台５の上面には商品見本６が載置される箇所に商品見本６を固着するとともに後述する蛍光灯の光を商品見本６の内部に導入する穴（不図示）が形成されている。ディスプレイ台５の前面壁５ａにはそれぞれの商品見本６に対応して表示窓５ｂが穿孔され、その表示窓５ｂの上部側には価格表示板９が貼着されており、また、ディスプレイ台５の前面壁５ａには側面が開口したスリット状の支持溝５ｃが形成されている。１０は一枚の帯状のシートに「ＨＯＴ」「ＣＯＬＤ」の文字とその「ＨＯＴ」「ＣＯＬＤ」の文字の背景が暖色（赤色）寒色（青色）に印刷された冷温パターンが上下２段で、かつ、上下逆さまになるように表示され冷温表示板である。この冷温表示板１０は、ディスプレイ台５の支持溝５ｃに側面から差し込まれ、「ＨＯＴ」または「ＣＯＬＤ」の文字が表示窓５ｂに現れるようにセットされる。なお、図示例では表示窓５ｃから「ＣＯＬＤ」を表示しているが、「ＨＯＴ」を表示する場合には、冷温表示板１０を引き抜き、上下の向きを反転させて差し込む。また、箱形に形成されたディスプレイ台５の内部には不図示の蛍光灯が、ディスプレイ台５の左右の側壁に取付けられたソケット（不図示）に装着されている（例えば、特許文献１参照）。
【０００４】
また、冷温表示板１０による冷温表示に加えて商品の冷温を更に強調する場合には、商品見本６の背景となるディスプレイ扉に、次に述べるような冷温強調シートを貼り付けることが知られている。すなわち、「ＨＯＴ」を表す暖色である「赤色」と「ＣＯＬＤ」を表す寒色である「青色」のそれぞれの冷温強調シートを用意し、ディスプレイ台５に装着された冷温表示板１０の「ＨＯＴ」に対応するディスプレイ扉の表面に「赤色」の冷温強調シートを、そして、冷温表示板１０の「ＣＯＬＤ」に対応するディスプレイ扉の表面に「青色」の冷温強調シートを貼り付ける。これにより、商品見本６の背景が「ＨＯＴ」を表す「赤色」と「ＣＯＬＤ」を表す「青色」に表示され、商品見本６の冷温状態を一目で把握することができる（例えば、特許文献２参照）。
【０００５】
さらに、新商品のキャンペーンや推奨商品などを購入者に強力にアピールするため特定の商品見本に対応して発光ダイオードを設け、当該発光ダイオードを点滅させて特定商品のみを強調するものも知られている（例えば、特許文献３参照）。
【０００６】
【特許文献１】
特開２００２−１３３５０３号公報
【特許文献２】
特開２００２−１０９６２４号公報
【特許文献３】
特開平８−１８０２５１号公報
【０００７】
【発明が解決しようとする課題】
ところで、自動販売機に保存される商品の冷蔵，温蔵状態の割合は季節に応じて変更されることから、ディスプレイ台５の表示窓５ｂに表示される冷温表示もその都度変更する必要があり、その変更は冷温表示板１０をディスプレイ台５から引き抜いた後に上下の向きを反転させて再びディスプレイ台５に装着することにより行われる。これに合わせてディスプレイ扉に貼り付けられた冷温強調シートの交換も必要となるが、冷温強調シートは冷温の変更に合わせて新調せねばならないとともに張り替え作業を必要とするという問題がある。一方、キャンペーン商品などの特定商品を発光ダイオードを用いて強調する場合、商品見本や冷温表示板を照明する蛍光灯とは異なる新たな光源（発光ダイオード）が必要となり、発光ダイオードに電源を供給するために電源線の引回しが必要となる。この場合、前記電源線の引回しをなくすために電池を使用することも提案されているが、この場合には新たに電池が必要となるとともに電池の取付台を設けねばならず部品点数が増加するという問題を有する。
【０００８】
この発明は上記課題を解決するためになされたものであり、その目的は、庫内商品の冷蔵，温蔵状態に合わせて商品見本の冷温状態の強調や特定の商品のアピールを極めて簡単な構成で容易に行うことが可能な自動販売機を提供することにある。
【０００９】
【課題を解決するための手段】
上記課題を解決するため請求項１記載の発明は、前面が開口した本体キャビネットとこの本体キャビネットの前面開口に開閉可能に取付けられた外扉とを有し、前記本体キャビネットの庫内に商品を冷蔵，温蔵状態に区分して保存し、前記外扉の前面に取付けられた透明板と前記外扉の背面に開閉可能に取付けられたディスプレイ扉とにより画成されたディスプレイ室を有し、該ディスプレイ室内に設置され、下面が開放した箱形に形成されるとともに当該箱形内部に蛍光灯が配置されたディスプレイ台上に前記商品の商品見本を左右に並ベて展示した自動販売機において、前記ディスプレイ台に前記蛍光灯から照射される光の通路を形成する採光窓を設け、光透過材料からなり、前記採光窓を覆うようにディスプレイ台に装着されるとともに商品を強調する色に着色された着色表示板を設け、前記蛍光灯の光により採光窓を通して着色表示板の色をディスプレイ扉に発色させることを特徴とする。
【００１０】
上記構成を採用した本発明においては、箱形に形成されたディスプレイ台の内部に配置された蛍光灯の光により採光窓を通して着色表示板に着色された色がディスプレイ扉に発色される。この場合、請求項２に記載したように、ディスプレイ台の前面壁に沿わせて商品の冷温状態を表わす冷温表示手段を有する場合、当該冷温表示手段に対応して着色表示板は冷温を表す色（青色，赤色）に着色され、ディスプレイ台の前面に表示される商品見本の冷温（青色，赤色）表示に対応して商品見本の背景であるディスプレイ扉に青色，赤色が発色される。これにより、ディスプレイ室内の商品見本の冷温状態を強調することができる。また、請求項３に記載したように、着色表示板は特定商品に対応した箇所が特定の色に着色、例えば、特定の色を新商品や推奨商品などのイメージカラーとすることにより、特定の商品見本の背景がイメージカラーに発色され、これにより特定の商品見本を強調することができる。
【００１１】
【発明の実施の形態】
以下、本発明における自動販売機の実施の形態を図面を用いて説明する。なお、この実施の形態は発明の一実施例を示すものであり、この実施の形態により本発明が限定されるものではない。
（実施例１）
図１は本発明における自動販売機の実施の形態の主要部の構成を示し、ディスプレイ台に着色表示板が装着された状態のディスプレイ台を示す背面斜視図、図２はディスプレイ台から一方の着色表示板が取り外された状態のディスプレイ台を示す背面斜視図であり、この発明の実施の対象となる自動販売機は図５に示した構成を有するものである。
【００１２】
図において、５０はディスプレイ台であり、このディスプレイ台５０は、従来装置と同様に、下面が開放した横長の箱形に形成され、ディスプレイ台５０の両側壁５１，５１に取付けられソケット６０に蛍光灯（図ではディスプレイ台の構成を見やすくするため蛍光灯は省略している）が装着され、また、ディスプレイ台５０の上面に形成した穴に固着される商品見本６が載置され、さらに、図では見えない前面壁には表示窓が形成されるとともに冷温表示板が装着され、冷温表示板の「ＨＯＴ」「ＣＯＬＤ」の文字およびその「ＨＯＴ」「ＣＯＬＤ」の文字の背景が暖色（赤色）寒色（青色）に印刷された冷温パターンが前記表示窓に現れるように構成されている。なお、前記ディスプレイ台５０はディスプレイ室（図５参照）の背景となる不図示のディスプレイ扉に設けたブラケットに着脱自在に取付けられている。その着脱構成は本件出願人より出願された特開２０００−３０６１５０号公報（発明の名称「自動販売機のディスプレイ装置」）に開示されているので、ここでは詳細な説明を省略するが、ディスプレイ扉に設けた左右一対のブラケットに異形溝が形成され、この異形溝にディスプレイ台の両側壁から左右に突出する支持軸を着脱可能に嵌め込み、前記異形溝に支持軸を嵌め込んだ状態でディスプレイ台を前後に移動させることにより展示位置に拘束支持したり、展示位置からメンテナンス位置に移動させて前傾姿勢に傾動させることができるものである。
【００１３】
１００はディスプレイ台５０の長手方向に二分割された帯状の着色表示板であり、この着色表示板１００は光透過性材料からなり、図２に示すように、庫内の冷蔵，温蔵状態を表す寒色である青色１００ａおよび暖色である赤１００ｂに上下二段に着色されている。前記着色表示板１００はディスプレイ台５０の背面壁５２に形成された取付溝５２ａに差し込んで装着される。ディスプレイ台５０の背面壁５２はディスプレイ台５０の上面にまで切り込みを入れ、その切り込み端部から直角ではなく鈍角に折り曲げるとともに下端を折り返して着色表示板１００が装着される取付溝５２ａを形成している。ディスプレイ台５０の背面壁５２をディスプレイ台５０の上面にまで切り込みを入れて鈍角に折り曲げることによりディスプレイ台５０は傾斜しており、背面壁５２はディスプレイ台５０が取付けられるディスプレイ扉に密着することなくディスプレイ扉との間に隙間を有する。また、背面壁５２には隣接する商品見本６の間に対応する位置に採光窓５２ｂが形成されており、取付溝５２ａに着色表示板１００を装着した際に着色表示板１００に上下二段に着色された上段側の青色１００ａもしくは赤色１００ｂのいずれか一方が採光窓５２ｂに対峙するように構成されている。
【００１４】
前記各着色表示板１００はディスプレイ台５０の背面壁５２に次のように装着される。すなわち、商品見本６に対応して冷温状態を表示する冷温表示板の冷温表示パターンが、例えば図１において、左側の５本の商品見本６が冷蔵状態「ＣＯＬＤ」であり、右側に５本の商品見本６が温蔵状態「ＨＯＴ」である場合、左側の着色表示板１００は青色１００ａが上段となるよう、また、左側の着色表示板１００は赤色１００ｂが上段となるようディプレイ台５０の背面壁５２（取付溝５２ａ）に装着される。前述のようにディスプレイ台５０の背面壁５２に着色表示板１００が装着した状態でディスプレイ扉を外扉と一体になるように閉じた後外扉を閉じると、蛍光灯の光がディスプレイ台５０の背面壁５２に形成された採光窓５２ｂを通して着色表示板１００に照射され、これによりディスプレイ室の背景となるディスプレイ扉には着色表示板１００に着色された色が発色される。前述の例によれば、ディスプレイ室の前方から見て右側の５本の商品見本６に対応する背景が青色に発色しており、左側の５本の商品見本６に対応する背景が赤色に発色している。したがって、商品見本６の冷温状態をディスプレイ扉に発色された青色，赤色によって強調することができる。
【００１５】
季節の変わり目において自動販売機に保存される商品の冷蔵，温蔵状態の割合が変更される時、ディスプレイ台５０の前面壁に形成した表示窓に表示される冷温表示板の冷温表示がその都度変更されることは従来装置の説明で述べたとおりである。この変更に合わせてディスプレイ台の背面壁に装着された着色表示板によるディスプレイ扉への発色も変更される。すなわち、冷温表示板の変更は外扉を開けるとともに該外扉からディスプレイ扉を開放してディスプレイ台５０を露出させることにより行われる（冷温表示板の変更は従来装置と同様である）。この冷温表示板の変更の際、ディスプレイ台５０をメンテナンス位置である前方に引き出して前傾姿勢に傾動させると着色表示板１００が露出する。ここで、ディスプレイ台５０に載置された全ての商品見本６の冷蔵状態に変更された場合には、前述したようにして露出した着色表示板１００（図１においては右側の着色表示板）をディスプレイ台５０の背面壁５２から引き抜き、引き抜いた着色表示板１００の上下の向きを反転させて再度背面壁５２に差し込んで装着する。これにより着色表示板１００に着色された青色が背面壁５２に形成された採光窓５２ｂに対峙する。これにより全ての商品見本６の背景となるディスプレイ扉には青色が発色することとなる。ディスプレイ台５０に載置された全ての商品見本６を温蔵状態に変更した場合には、図１における左側の着色表示板１００を引き抜くとともに上下の向きを反転させて再び装着することは言うまでもない。
（変形例１）
図３は図１および図２に示す本発明における自動販売機の実施の形態の変形例を示し、ディスプレイ台に着色表示板が装着された状態のディスプレイ台を示す背面斜視図である。図３において、図１および図２に示す実施例と同一のものには同一の符号を付してその説明を省略する。
【００１６】
図３に示す変形例はディスプレイ台５０に載置された商品見本６が全て冷蔵あるいは温蔵状態である場合に採用されるものであり、図３において、図１および図２に示す実施例１と異なる点は冷温表示板２００である。すなわち、図１および図２に示す実施例１における冷温表示板１００は左右に二分割されているのに対し、この図３に示す冷温表示板２００はディスプレイ台５０の長さに対応する長さを有する単一部材からなり、かつ、ディスプレイ台５０の背面壁５２に形成された採光窓５２ａ（図２参照）に対応して青色２００ａおよび赤色２００ｂに交互に着色されている点である。このように着色表示板２００には交互に青色２００ａおよび赤色２００ｂに着色されていることから、図３に示す状態では商品見本６の背景となるディスプレイ扉には青色が発色され、着色表示板２００を図において左にスライドさせるとディスプレイ扉に赤色が発色されることとなる。
（実施例２）
図４は本発明における自動販売機の異なる実施の形態の主要部の構成を示し、ディスプレイ台に着色表示板が装着された状態のディスプレイ台を示す背面斜視図である。図４において、図１および図２に示す実施例と同一のものには同一の符号を付してその説明を省略する。
【００１７】
図４において、ディスプレイ台５０の上に載置された商品見本６のうち、６０および６１は特定商品、すなわち、新商品あるいは推奨商品に対応する商品見本である。３００および３０１はそれぞれ着色表示板であり、着色表示板３００はディスプレイ台５０の背面壁５２に形成された採光窓５２ｃ，５２ｄ，５２ｅに対峙する箇所が新商品や推奨商品をアピールする特定の色、例えば、商品のイメージカラーに着色され、残りの部分は不透明に形成されている。一方、着色表示板３０１は不透明に形成され、着色表示板３０１に隠れて見えない採光窓５２ｂからの蛍光灯の光を遮断している。したがって、この実施例２の構成によれば、商品見本６０，６１の背景となるディスプレイ扉には新商品や推奨商品のイメージカラーが発色され、このイメージカラーによって新商品や推奨商品を強調することができる。したがって、従来のように特定商品を強調するためにのみ光源を設けたりする必要がなく、商品見本６を内部から照明する蛍光灯を利用して特定商品を強調することができる。
【００１８】
なお、前記着色表示板３００は商品のイメージカラーに着色された箇所以外の残りの部分は不透明に形成されているものについて説明したが、当該残りの部分については商品の冷温を表す赤色，青色に着色することもできる。
なお、各実施例においては着色表示板が左右に二分割されているが、これに限られるものではなく、変形例に示すように単一部材のものであってもよいものである。また、各実施例ではディスプレイ台の背面壁に形成された採光窓は隣接する商品見本の間にそれぞれ形成したものについて説明したが、採光窓は横に連続した一つの窓であってもよく、この場合には着色表示板が各実施例に示した採光窓に対応する部分が着色され、残りの部分が不透明に形成されるものである。
【００１９】
【発明の効果】
以上説明したようにこの発明によれば、前面が開口した本体キャビネットとこの本体キャビネットの前面開口に開閉可能に取付けられた外扉とを有し、前記本体キャビネットの庫内に商品を冷蔵，温蔵状態に区分して保存し、前記外扉の前面に取付けられた透明板と前記外扉の背面に開閉可能に取付けられたディスプレイ扉とにより画成されたディスプレイ室を有し、該ディスプレイ室内に設置され、下面が開放した箱形に形成されるとともに当該箱形内部に蛍光灯が配置されたディスプレイ台上に前記商品の商品見本を左右に並ベて展示した自動販売機において、前記ディスプレイ台に前記蛍光灯から照射される光の通路を形成する採光窓を設け、光透過材料からなり、前記採光窓を覆うようにディスプレイ台に装着されるとともに商品を強調する色に着色された着色表示板を設け、前記蛍光灯の光により採光窓を通して着色表示板の色をディスプレイ扉に発色させるように構成したことにより、例えば、商品の冷蔵，温蔵状態を強調する場合には商品見本の背景であるディスプレイ扉に青色，赤色が発色され、また、特定商品を強調する場合には、特定の色（商品のイメージカラーなど）が特定商品の背景であるディスプレイ扉にイメージカラーが発色されるので、ディスプレイ室の前方から商品の冷温状態や特定商品を容易かつ簡単な構成により強調することができる。
【図面の簡単な説明】
【図１】本発明における自動販売機の実施の形態の主要部の構成を示し、ディスプレイ台に着色表示板が装着された状態のディスプレイ台を示す背面斜視図
【図２】図１のディスプレイ台から一方の着色表示板が取り外された状態のディスプレイ台を示す背面斜視図
【図３】図１の実施の形態の変形例を示し、ディスプレイ台に着色表示板が装着された状態のディスプレイ台を示す背面斜視図
【図４】本発明における自動販売機の異なる実施の形態の主要部の構成を示し、ディスプレイ台に着色表示板が装着された状態のディスプレイ台を示す背面斜視図
【図５】この発明の実施対象となる自動販売機の正面図
【図６】従来装置を示すディスプレイ台の拡大図
【符号の説明】
１　　　　　　　　　本体キャビネット
２　　　　　　　　外扉
３　　　　　　　　透明板
４　　　　　　　　ディスプレイ室
６　　　　　　　　商品見本
５０　　　　　　　ディスプレイ台
５　　　　　　　　ディスプレイ台
５２　　　　　　　背面壁
５２ｂ　　　　　　採光窓
１００　　　　　　　　　　　　着色表示板
２００　　　　　　着色表示板
３００，３０１　　着色表示板
【図１】
2004145599.tif 000003
【図２】
2004145599.tif 000004
【図３】
2004145599.tif 000005
【図４】
2004145599.tif 000006
【図５】
2004145599.tif 000007
【図６】
2004145599.tif 000008